(57)【要約】      （修正有）【課題】３オクターブの音域を有し、高度な演奏技術を要しない複数管オカリナを提供する。【解決手段】それぞれ音階穴と歌口を備え、それぞれ１オクターブ以上の音域を有する低音管３ａ、中音管３ｂ及び高音管３ｃの３個の共鳴管体と、３個の共鳴管体を分離した形で連結する連結棒６と、３個の吹き口８ａ、８ｂ、８ｃが穿設された１個の笛口管４ａと、笛口管４ａと３個の共鳴管体に繋がる気道管５ａ、５ｂ、５ｃとにより構成される３オクターブ以上の音域を有する複数管オカリナ１であり、各共鳴管体には５本指で開閉する６個の指孔９ａ〜ｆ、１１ｅ〜ｆ、１３ａ〜ｄと手の平の２箇所の膨らみ（掌丘）で開閉する２個の掌丘孔１０ａ〜ｂ、１２ａ〜ｂを穿設する。【選択図】図３
2016004262.tif 000002
【特許請求の範囲】
【請求項１】
それぞれ音階穴と歌口が穿設され、それぞれ１オクターブ以上の音域を有する共鳴管である低音管、中音管及び高音管は、連結棒により連結され、前記低音管、前記中音管及び前記高音管は、それぞれ気道管により１個の笛口管と繋がり、前記笛口管には前記低音管、前記中音管及び前記高音管にそれぞれ前記気道管を介して連通する吹き口を３個穿設し、３個の前記吹き口からの呼気はそれぞれ前記気道管を通って前記低音管、中音管及び高音管の前記歌口に至り、３オクターブまでの音域の演奏音を奏でる楽器として、前記低音管、前記中音管、前記高音管、前記笛口管、前記気道管及び前記連結棒で構成されること特徴とする複数管オカリナ。
【請求項２】
前記低音管、前記中音管及び前記高音管が、相互に接触又は結合することなく、分離して連結されていることを特徴とする請求項１に記載の複数管オカリナ。
【請求項３】
前記低音管、前記中音管及び前記高音管は、いずれも両手の指を使わず片手だけで音階穴の開閉を行うことができるように、右手または左手の５本指で開閉する５個以上の指孔と、前記共鳴管体を右手又は左手で握ったときに、前記共鳴管体が指以外で手の平に最も強く接触する２箇所の手の平の膨らみで開閉する２個の掌丘孔が、音階穴として穿設されていることを特徴とする請求項１または請求項２に記載の複数管オカリナ。
【請求項４】
前記低音管に歌口を２箇所に設けたことを特徴とする請求項１または請求項２または請求項３に記載の複数管オカリナ。
【発明の詳細な説明】
【技術分野】
【０００１】  本発明は、閉管構造の気鳴楽器である複数管オカリナに関するものである。
【背景技術】
【０００２】  楽器としてのオカリナを最初に考案し完成させたのは、イタリア人のドナーティ（１８３６年〜１９２５年生存）であり、日本では明田川孝（１９０９年〜１９５８年生存）が現在普及しているオカリナの原型を製作し、現在では多くのメーカーによって作られており、癒しとか郷愁を呼び起こす素朴な音色を持つ楽器として広く親しまれている。オカリナはサイズの異なる多くの種類が現存し、吹鳴音を共鳴させる共鳴管体が１個のオカリナ（以下シングル管と称する。）ではサイズの大きいものほど低音を発し、小さいものほど高音を発する。音域は材質やサイズによって異なるが、最大で１オクターブ半である。しかし、最高音はカスレが生じる傾向があり、最低音は音量が小さくなる傾向があるので、いずれの種類のシングル管であっても音質、音量ともに確実に響く演奏音の音域は１オクターブほどである。【０００３】  現在広く親しまれている曲のほとんどは１オクターブの音域を超えており、シングル管の演奏音域が曲の音域より狭いため、シングル管では演奏を完結出来ない曲が数多くあるのが現状である。そのため、より広い音域を要求する演奏家に応えるため、大小のシングル管を２個結合した形のダブルオカリナ、３個結合した形のトリプルオカリナが国内外のメーカーによって製作され、販売されている。ダブルオカリナについては１９００年代の前半にはイタリア人のヴィネリッチ（１８４１年〜１９２０年生存）が製作したとされるもの、及び明田川孝が製作したとされるものが非特許文献１に写真掲載されている。これは、現在販売されているダブルオカリナとほとんど同じものである。また、これと類似のダブルオカリナが特許文献１、特許文献２及び特許文献３に開示されている。【０００４】  これら市販のダブルオカリナ及びトリプルオカリナ（以下ダブルオカリナ及びトリプルオカリナを総称する場合は複数管オカリナと称する。）、特許文献１及び特許文献３に開示されているダブルオカリナの構造については、音階穴が１０〜１２個のシングル管（以下既存の複数管オカリナを説明する場合は主管と称する。）に右手指だけで音階穴を開閉する主管より高音域で小さいシングル管（以下既存の複数管オカリナの説明においては複管１と称する。）を張り付けた形がダブルオカリナであり、複管１にさらに高音域で小さい右手指だけで音階穴を開閉するシングル管（以下既存の複数管オカリナの説明においては複管２と称する。）を張り付けた形がトリプルオカリナである。これら複数管オカリナの演奏においては、演奏音が主管の音域から複管１の音域へ、さらに複管２の音域へ、逆に複管２の音域から複管１の音域へ、さらに複管１の音域から主管の音域へ移るとき、同時に右手指を主管、複管１、複管２のそれぞれの音階穴へすばやく移動させることが非常に難しい。特許文献２の２オクターブオカリナについては、主管の１１個の音階穴を片手の指だけで開閉することによって、１オクターブ半の音域の演奏音を正確な音程で吹鳴することは不可能であるし、複管１に長さ１０ｃｍの音階調節穴を開けると共鳴管が十分共鳴せず吹鳴音にカスレが生じる。【０００５】  上記のように音域の広い複数管オカリナは、多くの製作者によって工夫され製作されているが���音階操作の指使い（運指）が難しく高度な演奏技術を要するので、あまり普及が進んでいないのが現状である
【先行技術文献】
【特許文献】
【０００６】
【特許文献１】  実開昭６３−１０５１８７号公報
【特許文献２】  特開平１０−２２２１５７号公報
【特許文献３】  特開２０１３−１２５１８３号公報
【非特許文献】
【０００７】
【非特許文献１】  石間万範著「オカリナ物語」  株式会社ショパン  ２００６年
【発明の概要】
【発明が解決しようとする課題】
【０００８】  音色が素朴で美しいオカリナは、音域が狭いという欠点ともいえる特徴を持ちながらも古今東西多くの人に愛され親しまれている。オカリナは本来オーケストラ楽器が演奏するような音域が広くテンポの速い器楽曲を演奏することは困難な楽器であり、その構造、音色、音域、演奏方法などの特性からすると、２オクターブ以内の音域の比較的テンポの緩やかな歌の曲などを演奏出来れば、一般のオカリナ愛好者にとっては十分価値のある楽器である。現在、広く親しまれている歌の曲の数は１０００曲は下らないが、オカリナが演奏できるポピュラーな器楽曲の数は、歌の曲の数に比べると僅かである。オカリナ愛好者がオカリナの演奏を楽しむとすれば歌の曲を演奏する場合が多いので、少なくとも必要な機能として、比較的テンポの緩やかな２オクターブの音域の曲を確実に演奏できるオカリナの実現が望まれるところである。その望みを満たすオカリナを実現するには、共鳴管が１個のシングル管に工夫を加えても限界があり、共鳴管が２個又は３個の複数管オカリナに改善を加えていく必要がある。【０００９】  既存既知の複数管オカリナの具体的な形状、構造、演奏方法は特許文献３に開示されている複数管オカリナの複管１又は複管２を開管から閉管に変えたものと同じであるが、既存既知の複数管オカリナは、あまりにも運指が困難である。演奏音の流れに伴って右手の親指以外の４指を、主管から複管１へさらに複管２へと、逆に複管２から複管１、主管へと指を移動させ音階穴をしっかり塞ぐというのは相当訓練しないと不可能である。この共鳴管体間で指を移動させる運指の難しさが最大の問題点である。【００１０】  シングル管は開いている音階穴の総面積が大きくなればなるほど発する音は高くなっていくが、その面積が過大になると吹鳴音にカスレが生じる。このカスレが生じる手前の音の高さがこのシングル管の最高音であり、最低音は音階穴を全閉した時に発する音である。この最低音から最高音までの音の高さの範囲がこのシングル管の最大音域であり、最高音を発するに必要な音階穴が開けられておれば１オクターブ以上の音域を確保することができる。従って２個のシングル管を組み合わせれば２オクターブ、３個のシングル管を組み合わせれば３オクターブの音域を確保できるはずであるが、既存既知の複数管オカリナの場合、運指と構造上の制約で複管１又は複管２に１オクターブの音域で演奏するに必要な数の音階穴を設けることができないため、ダブルオカリナの音域は２オクターブに達していないし、同じくトリプルオカリナの音域も３オクターブに達していない。【００１１】  一般的によく使われるシングル管のタイプは音域が女性の声域に近いアルトＣ管と呼ばれているものであるが、既存既知の複数管オカリナの主管のほとんどはこのアルトＣ管が使われている。アルトＣ管より１オクターブ音域の低い演奏音を発し、体積がアルトＣ管の５倍くらいのバスオカリナと呼ばれているオカリナは、合奏などで厚みのある演奏ができる低音を発するのでオカリナ演奏家、愛好家にとって魅力ある楽器である。既存既知の複数管オカリナの形状で主管にバスオカリナを組み込んだ複数管オカリナは、サイズが大き過ぎて音階穴の開閉が不可能なため現在のところ���在しないが、実現が望まれる楽器である。【００１２】  前記の問題点を解決して、音域が広く高度な演奏技術を必要としない複数管オカリナを実現することが本発明の課題である。
【課題を解決するための手段】
【００１３】  本発明の複数管オカリナは、バスオカリナの音域に近い低音域の音を発する最もサイズの大きい共鳴管体（以下低音管と称する。）、低音管より１オクターブ音域が高く、アルトＣ管の音域に近い２番目の大きさの共鳴管体（以下中音管と称する。）、中音管よりさらに１オクターブ音域が高く、最も小さい共鳴管体（以下高音管と称する。）の３個の共鳴管体を接触または結合するのではなく分離し連結棒で連結した形のもので、低音管、中音管及び高音管の３個の共鳴管体は、それぞれ１オクターブ以上の音域を有し、３個の共鳴管体の音域を合わせると３オクターブ以上の音域となる。これら３個の共鳴管体と１個の筒状の笛口管が気道管で繋がり、笛口管に設けられた３個の吹き口からの呼気は、気道管を通って低音管、中音管、高音管のそれぞれの歌口まで到達する。２個の吹き口から同時に呼気を吹き込めば和音が吹鳴する。３個の共鳴管体を分離したのは、必要な大きさと数の音階穴と歌口を適切な場所に無理なく設けられるようにするためと、片手だけで１つの共鳴管体の音階穴の開閉操作を円滑に行うことができるようにするためである。【００１４】  閉管構造のオカリナの特性として音階穴を全閉にすると音量が小さくなる。そのため捨て穴を設けることもあるが、特にバスオカリナのような低音管の場合その音域内での低音部の音量が小さくなる傾向があるので、低音部の音量を補うため低音管には２個の歌口を設ける。【００１５】  ３個の共鳴管体にはいずれも音階穴として片手５本指で開閉する６個の指孔（親指は２個の指孔を押さえる。）と、手の平の２箇所の膨らみ（掌丘）で開閉する２個の掌丘孔が穿設され、左手は中音管を持ち、右手は低音管又は高音管のいずれかを持ち、片手だけで音階穴の開閉操作を行う。手の平の２箇所の膨らみとは、共鳴管体を握ったときに共鳴管体が指以外で手の平に最も強く接触する部分であり、１箇所は親指の基底部の膨らみで、手相術では金星丘と呼ばれている部分、もう１箇所は金星丘の向い側の手首に近い手の平の縁の膨らみで、手相術では月丘と呼ばれている部分である。掌丘孔を設けたのは、中音管と低音管の場合、片手５本指で開閉する指孔を最大数開けても、指孔だけでは１オクターブ以上の音域を確保できないことと、掌丘孔を塞ぐ掌丘は指と同じように音階操作ができる機能を有しているからである。【００１６】  演奏音が低音管の音域から中音管の音域へ、逆に中音管の音域から低音管の音域へ演奏音が移るとき、または中音管の音域から高音管の音域へ、逆に高音管の音域から中音管の音域へ演奏音が移るときは、音階を操作している左手の指または右手の指が音階を操作している共鳴管体から他の共鳴管体へ移動することはない。すなわち、音域が隣接する共鳴管体の音域へ演奏音が移る瞬間に、その音域が隣接する共鳴管体の音階穴へ指をすばやく移動させる必要がないというのが本発明の複数管オカリナの特徴である。【００１７】  演奏曲の音域が、２オクターブ以内の場合は、右手で低音管と高音管を持ち替えることはないので、すべての歌の曲は演奏可能であるが、演奏曲の音域が、低音管、中音管及び高音管のいずれの音域とも重なる場合は、２つの手で３つの共鳴管体を音階操作するので、右手で低音��と高音管とを持ち替える必要がある。この場合、テンポが比較的緩やかな器楽曲であれば、演奏音が中音管の音域内を径由している間に、右手で低音管と高音管とを持ち替えることによって演奏を完結することができる。器楽曲は演奏音を構成する音と音のへだたり（旋律的音程）が大きく、テンポも速い曲が多いので本発明の複数管オカリナでは、演奏が困難な曲が多いが、癒しと郷愁を呼び起こすオカリナの演奏にふさわしい器楽曲を選べば、本発明の複数管オカリナが演奏できる器楽曲は数多く存在する。【００１８】  前記のように本発明は１オクターブ以上の音域を有する低音管、中音管及び高音管を接触させず離して組み合わせ、各管の音階操作は両手を使わず片手の指と掌丘を使って片手だけで行い、低音管には２箇所の歌口を設けることによって十分な音量を確保し、運指に無理のない３オクターブの音域を有する複数管オカリナを提供するものである。
【発明の効果】
【００１９】  音域が広いので、歌の曲であれば既存のシングルオカリナのようにオカリナの音域に合せて転調する必要がなく、楽譜の表示通りの音の高さで演奏することができる。【００２０】  既存既知の複数管オカリナの主管（アルトＣ管）より低い音域の低音管（バス管）が組み込まれるので、合奏に使えば演奏音に厚みが増す。【００２１】  オーケストラ楽器のフルートの音域と同じ３オクターブの音域を有するので、フルートのために書かれた比較的テンポの緩やかな曲であれば、その楽譜をそのまま使って演奏することができる。【００２２】  低音管、中音管及び高音管をそれぞれ片手だけで音階操作するので、既存既知の複数管オカリナに比べて和音演奏が取り入れ易く、一人二重奏など多様な音楽表現が可能となる。【００２３】  従って複数管オカリナが既存既知のものよりも機能と音階操作性が向上することによってその普及が進み、複数管オカリナの演奏者人口が増加する。
【図面の簡単な説明】
【００２４】
【図１】第一実施例の複数管オカリナ１の笛口管を上側として上から見た平面図。
【図２】第一実施例の複数管オカリナ１のＡ−Ａ断面図。
【図３】第一実施例の複数管オカリナ１を（ａ）右上から見た斜視図（ｂ）左下から見た斜視図。
【図４】第一実施例の複数管オカリナ１の低音管の（ａ）右側面図（ｂ）左側面図。
【図５】第一実施例の複数管オカリナ１の中音管の（ａ）右側面図（ｂ）左側面図。
【図６】第一実施例の複数管オカリナ１の高音管の（ａ）右側面図（ｂ）左側面図。
【図７】第二実施例の複数管オカリナ２を右上から見た斜視図。
【図８】掌丘孔を塞ぐ右手の平の部分を破線の円で示す図（左手の図は本図と線対称となる。）。
【発明を実施するための形態】
【００２５】  以下、図面を参照しながら本発明の実施例について説明する。
【実施例１】
【００２６】  実施例１の複数管オカリナ１は図３に示す通り低音管３ａ、中音管３ｂ、高音管３ｃ、笛口管４ａ、気道管５ａ、５ｂ、５ｃ、支持棒６で構成され、笛口管４ａに穿設された３個の吹き口８ａ、８ｂ、８ｃは、それぞれ気道管５ａ、５ｂ、５ｃを介して３個の共鳴管体に連通する。図２に示す通り吹き口８ａからの呼気は気道管５ａを通って低音管３ａの２箇所の歌口７ａ、７ｂに至る。歌口が２箇所設けられているのは低音管３ａの音量を十分確保するためである。吹き口８ｂからの呼気は気道管５ｂを通って中音管３ｂの歌口７ｃに至る。吹き口８ｃからの呼気は一旦笛口管４ａの中へ入ってから気道管５ｃを通って高音管３ｃの歌口７ｄに至る。吹き口は右から８ａ、８ｂ、８ｃの順に並ぶが共鳴管体は右手で低音管３ａと高音管３ｃを持ち替えることがあるので右から低音管３ａ、高音管３ｃ、中音管３ｂの順に並ぶ。複数管オカリナ１の演奏中の支持については、複数管オカリナ１が揺れ動くと円滑な音階操作を妨げるので、低音管３ａと中音管３ｂの端を胸に当てて演奏する。【００２７】  音階操作は低音管３ａ、中音管３ｂ及び高音管３ｃの各管に穿設された８個の音階穴９ａ〜９ｆ、１０ａ、１０ｂを片手の指と掌丘Ｐ、Ｐｂ（図８参照）で開閉する。音階穴はその位置を認識し易くするためと、押さえたときの密閉度を高めるため突設する。低音管３ａは右手で持ち、音階穴の開閉は右手小指で指孔９ａ、薬指で指孔９ｂ、中指で指孔９ｃ、人指し指で指孔９ｄ、親指で指孔９ｅ、９ｆ、掌丘Ｐａで掌丘孔１０ａ、掌丘Ｐｂで掌丘孔１０ｂを開閉する（図４（ａ）、（ｂ）参照）。高音管３ｃも同様に右手で持ち、音階穴の開閉は右手小指で指孔１３ａ、薬指で指孔１３ｂ、中指で指孔１３ｃ、人指し指で指孔１３ｄ、親指で指孔１３ｅ、１３ｆ，掌丘Ｐａで掌丘孔１４ａ、掌丘Ｐｂで掌丘孔１４ｂを開閉する（図６（ａ）、（ｂ）参照）。中音管３ｂは左手で持ち、音階穴の開閉は左手小指で指孔１１ａ、薬指で指孔１１ｂ、中指で指孔１１ｃ、人指し指で指孔１１ｄ、親指で指孔１１ｅ、１１ｆ、左手掌丘Ｐａで掌丘孔１２ａ、掌丘Ｐｂで掌丘孔１２ｂを開閉する（図５（ａ）、（ｂ）参照）。【００２８】  中音管３ｂの内容積はおよそ１４０ｃｍ３くらいで、必要な音域は１オクターブとしているが実際には一点イ音から三点ハ音まで、すなわち１オクターブと３度の音域がある。高音管３ｃの内容積はおよそ２３ｃｍ３くらいで、同じく必要な音域は１オクターブとしているが実際には二点イ音から四点ハ音まで、すなわち１オクターブと３度の音域がある。低音管３ａの内容積はおよそ８００ｃｍ３くらいで音域はイ音から一点イ音までであり、低音管３ａの場合は確保できる音域は１オクターブが限界である。３つの共鳴管体の音域を合わせた複数管オカリナ１の音域は、イ音から四点ハ音までの３オクターブと３度となる。この音域はオーケストラ楽器のフルートの音域が一点ハ音から四点ハ音までの３オクターブであるので、フルートの音域を少し超えている。従ってテンポが比較的緩やかな曲であれば、フルートのために書かれた楽譜をそのまま使って複数管オカリナ１による演奏が可能である。それから、一般の名歌集、抒情歌集といった歌集や、音楽の教科書に掲載されている歌の曲の楽譜では、一点ハ音より低いイ音、ロ音の音符が表示されている曲は少なくない。フルートはイ音、ロ音を出せないので１オクターブ高い音で、イ音、ロ音の音符が表示されている曲を演奏せざるを得ない。その点、複数管オカリナ１はイ音、ロ音を出せるので楽譜の表示通りの音の高さで演奏することができる。【００２９】  複数管オカリナ１の場合、低音管３ａの最高音である一点イ音は中音管３ｂの最低音と重複し、中音管の高音部二点イ音から三点ハ音までの３度の音程は高音管３ｃの最低音部と音域が重複するが、重複させておいて重複音をどちらの共鳴管体によっても吹鳴できるようにしておくと、吹き口間の口の移動を少なくし運指を容易にする。例えばトリラーのような装飾音を演奏するとき、その装飾音をできるだけ１つの共鳴管体で発音させないと、２つの共鳴管体を発音させる場合は２個の吹き口への速い口の移動の繰り返しは困難である。【００３０】  音域が２オクターブを超える器楽曲の演奏では、２つの手で低音管３ａ、中音管３ｂ及び高音管３ｃの３つの共鳴管体を音階操作する必要があるが、この音階操作を円滑に行う方法として、低音管３ａを持っている右手を高音管３ｃまで伸ばして、高音管３ｃの音階穴１３ｅ、１３ｆ、１４ａ、１４ｂを指先で開閉する。または中音管３ｂを持っている左手を高音管３ｃまで伸ばして、高音管３ｃの音階穴１３ａ、１３ｂ、１３ｃ、１３ｄを指先で開閉する。この方法は、本発明の複数管オカリナの音階操作の原則から少し外れるので、無理な運指や不正確な音程が生じることがあり、使える曲は限定されるが、曲を転調して高音管３ｃの音階操作をできるだけ少なくすると、無理な運指や不正確な音程という問題が解消される曲は少なくない。
【実施例２】
【００３１】  ２オクターブ以内の音域の曲を演奏する場合は、実施例１の共鳴管体が３個の複数管オカリナ１より演奏が容易で低コストであり、重さが軽くて扱い易い共鳴管体が２個の複数管オカリナ２を図７に示す。それぞれ音階穴と歌口が穿設された中音管３ｄ、高音管３ｅ、２個の吹き口８ｄ、８ｅが穿設された笛口管４ｂ、２個の共鳴管体を連結する連結棒で構成され、吹き口８ｄから中音管３ｄへ、吹き口８ｅから高音管３ｅへ呼気を送り込み、右手に中音管、左手に高音管を持ってそれぞれの共鳴管体の音階操作をする。中音管３ｄは複数管オカリナ１の中音管３ｂと同じ大きさであり高音管３ｅは複数管オカリナ１の高音管３ｃと同じ大きさであるので、最も演奏頻度の高い女性の声域のアルト、ソプラノの音域を演奏する。音階操作は実施例１において、低音管３ａを右手に持ち中音管３ｂを左手に持って演奏するときの要領と同じである。
【符号の説明】
【００３２】１…実施例１の複数管オカリナ
２…実施例２の複数管オカリナ
３ａ…実施例１の低音管
３ｂ…実施例１の中音管
３ｃ…実施例１の高音管
３ｄ…実施例２の中音管
３ｅ…実施例２の高音管
４ａ…実施例１の笛口管
４ｂ…実施例２の笛口管
５ａ、５ｂ、５ｃ…実施例１の気道管
６…実施例１の連結棒
７ａ、７ｂ…低音管の歌口
７ｃ…中音管の歌口
７ｄ…高音管の歌口
８ａ…実施例１の低音管の吹き口
８ｂ…実施例１の中音管の吹き口
８ｃ…実施例１の高音管の吹き口
８ｄ…実施例２の中音管の吹き口
８ｅ…実施例２の高音管の吹き口
９ａ、９ｂ、９ｃ、９ｄ、９ｅ、９ｆ…実施例１の低音管の指孔
１０ａ、１０ｂ…実施例１の低音管の掌丘孔
１１ａ、１１ｂ、１１ｃ、１１ｄ、１１ｅ、１１ｆ…実施例１の中音管の指孔
１２ａ、１２ｂ…実施例１の中音管の掌丘孔
１３ａ、１３ｂ、１３ｃ、１３ｄ、１３ｅ、１３ｆ…実施例１の高音管の指孔
１４ａ、１４ｂ…実施例１の高音管の掌丘孔
Ｐａ…掌丘（金星丘）
Ｐｂ…掌丘（月丘）
【図１】
2016004262.tif 000003
【図２】
2016004262.tif 000004
【図３】
2016004262.tif 000005
【図４】
2016004262.tif 000006
【図５】
2016004262.tif 000007
【図６】
2016004262.tif 000008
【図７】
2016004262.tif 000009
【図８】
2016004262.tif 000010